(57)【要約】【課題】コンジットを使用しなければならないという制約のある地域やこのような制約のない地域のどちらにおいても使用することができる空気調和装置の室内機を提供する。【解決手段】室内機２は、電装品箱２４と、被固着部２７とを備える。電装品箱２４は、電装品の近傍に配置されている。被固着部２７は、電装品箱２４に設けられており、コンジット取り付け用部材５１及び電線固定用部材６１のいずれか一方が選択的に固着される。コンジット取り付け用部材５１は、室外機３から延びる電線Ｌ１〜Ｌ４を収納しているコンジットＣを取り付けるための部材である。電線固定用部材５２は、コンジットＣに収納されていない電線Ｌ１〜Ｌ４そのものを固定するための部材である。【選択図】図５
2010107140.tif 000002
【特許請求の範囲】
【請求項１】
電装品の近傍に配置されたフレーム部材（２４）と、
前記フレーム部材（２４）に設けられており、室外機（３）から延びる電線（Ｌ１〜Ｌ４)を収納しているコンジット（Ｃ）を取り付けるためのコンジット取り付け用部材（５１）及び前記コンジット（Ｃ）に収納されていない前記電線（Ｌ１〜Ｌ４）を固定するための電線固定用部材（６１）のいずれか一方が選択的に固着される被固着部（２７）と、
を備える、空気調和装置の室内機（２）。
【請求項２】
前記フレーム部材（２４）は、前記電装品が収納された電装品箱である、
請求項１に記載の空気調和装置の室内機。
【請求項３】
前記被固着部（２７）は、ネジ（７１）が通されるネジ穴を有するボスであって、
前記コンジット取り付け用部材（５１）及び前記電線固定用部材（６１）は、前記被固着部（２７）に螺子止めされる、
請求項１または２に記載の空気調和装置の室内機（２）。
【請求項４】
前記コンジット取り付け用部材（５１）には、前記コンジット（Ｃ）の端部から露出する前記電線（Ｌ１〜Ｌ４）を固定する結束バンド（５６）が取り付けられている、
請求項１〜３のいずれかに記載の空気調和装置の室内機（２）。
【請求項５】
前記コンジット取り付け用部材（５１）は、前記被固着部（２７）に固着される際に前記フレーム部材（２４）と接触する接触部分（５５）を有する、
請求項１〜４のいずれかに記載の空気調和装置の室内機（２）。
【請求項６】
前記コンジット取り付け用部材（５１）は、前記被固着部（２７）に固着される際に前記被固着部（２７）側に突出する爪部（５３ｃ）を更に有しており、
前記フレーム部材（２４）は、前記コンジット取り付け用部材（５１）の前記爪部（５３ｃ）が係合する係合部（２４ｆ）を有している、
請求項１〜５のいずれかに記載の空気調和装置の室内機（２）。
【発明の詳細な説明】
【技術分野】
【０００１】
本発明は、空気調和装置の室内機に関する。
【背景技術】
【０００２】
従来より、国や地域によっては、空気調和装置の室内機に対して信号用コード等の電線を接続する場合に、該電線を絶縁性の高い電線用配管であるコンジットで覆った状態で使用しなければならないという制約がある。このような制約の下に使用される空気調和装置の室内機の具体例としては、例えば特許文献１に開示されたものが挙げられる。特許文献１に係る空気調和装置の室内機では、コンジットが、電装品箱と一体形成されたコンジット取付板に取り付けられる。
【特許文献１】特開２００８−３２２５９号公報
【発明の開示】
【発明が解決しようとする課題】
【０００３】
しかしながら、特許文献１に係る室内機では、コンジット取付板が電装品箱やケーシング等と一体形成されているため、該室内機の利用可能な範囲が、コンジットを使用しなければならないという制約のある国や地域に限定されてしまう恐れがある。従って、コンジットを使用しなければならないという制約のない国や地域では、特許文献１に係る室内機を利用できない可能性がある。
【０００４】
そこで、本発明は、コンジットを使用しなければならないという制約のある地域や国、及びこのような制約のない地域や国、のどちらにおいても使用することができる空気調和装置の室内機の提供を目的とする。
【課題を解決するための手段】
【０００５】
発明１に係る空気調和装置の室内機は、フレーム部材と、被固着部とを備える。フレーム部材は、電装品の近傍に配置されている。被固着部は、フレーム部材に設けられており、コンジット取り付け用部材及び電線固定用部材のいずれか一方が選択的に固着される。コンジット取り付け用部材は、室外機から延びる電線を収納しているコンジットを取り付けるための部材である。電線固定用部材は、コンジットに収納されていない電線を固定するための部材である。
【０００６】
この空気調和装置の室内機によると、室外機からの電線が収納されたコンジットの取り付け用部材、及びコンジットに収納されていない室外機からの電線そのものの電線固定用部材のいずれか一方が、被固着部を介して選択的にフレーム部材に取り付けられる。これにより、この室内機は、コンジットを使用しなければならないという制約のある地域や国、及びこのような制約のない地域や国、のどちらにおいても使用することが可能となる。従って、コンジットを使用する地域用の室内機をあえて設計せずに済む。
【０００７】
発明２に係る空気調和装置の室内機は、発明１に係る空気調和装置の室内機であって、フレーム部材は、電装品が収納された電装品箱である。
【０００８】
この空気調和装置の室内機によると、コンジット取り付け用部材または電線固定用部材は、被固着部を介して電装品箱に選択的に取り付けられるようになる。
【０００９】
発明３に係る空気調和装置の室内機は、発明１または２に係る空気調和装置の室内機であって、被固着部は、ネジが通されるネジ穴を有するボスである。コンジット取り付け用部材及び電線固定用部材は、被固着部に螺子止めされる。
【００１０】
この空気調和装置の室内機によると、コンジット取り付け用部材または電線固定用部材は、被固着部であるボスのネジ穴にネジが通されることで、フレーム部材に容易に固定されるようになる。
【００１１】
発明４に係る空気調和装置の室内機は、発明１〜３のいずれかに係る空気調和装置の室内機であって、コンジット取り付け用部材には、コンジットの端部から露出する電線を固定する結束バンドが取り付けられている。
【００１２】
この空気調和装置の室内機によると、コンジット取り付け用部材には、結束バンドが取り付けられている。そのため、コンジット取り付け用部材が被固着部を介してフレーム部材に取り付けられている際、コンジットがコンジット取り付け用部材に取り付けられていると共に、コンジットの端部から露出する複数の電線は、結束バンドによって結束されるので、コンジット取り付け用部材に確実に固定されるようになる。
【００１３】
発明５に係る空気調和装置の室内機は、発明１〜４のいずれかに係る空気調和装置の室内機であって、コンジット取り付け用部材は、被固着部に固着される際にフレーム部材と接触する接触部分を有する。
【００１４】
この空気調和装置の室内機によると、コンジット取り付け用部材が被固着部を介してフレーム部材に取り付けられる際、コンジット取り付け用部材は、被固着部を介してだけではなく、接触部分によってフレーム部材に直接接触した状態となっている。従って、コンジット取り付け用部材は、フレーム部材に対しずれて配置されることなく、より確実に固定されるようになる。
【００１５】
発明６に係る空気調和装置の室内機は、発明１〜５のいずれかに係る空気調和装置の室内機であって、コンジット取り付け用部材は、被固着部に固着される際に被固着部側に突出する爪部を更に有している。フレーム部材は、コンジット取り付け用部材の爪部が係合する係合部を有している。
【００１６】
この空気調和装置の室内機によると、コンジット取り付け用部材がフレーム部材に取り付けられる際、コンジット取り付け用部材側の爪部がフレーム部材の係合部に係合される。これにより、コンジット取り付け用部材は、フレーム部材により確実に固定されるようになる。
【発明の効果】
【００１７】
発明１に係る空気調和装置の室内機によると、コンジットの使用を使用しなければならないという制約のある地域や国、及びこのような制約のない地域や国、のどちらにおいても使用することが可能となる。従って、コンジットを使用する地域用の室内機をあえて設計せずに済む。
【００１８】
発明２に係る空気調和装置の室内機によると、コンジット取り付け用部材または電線固定用部材は、被固着部を介して電装品箱に選択的に取り付けられるようになる。
【００１９】
発明３に係る空気調和装置の室内機によると、コンジット取り付け用部材または電線固定用部材は、被固着部であるボスのネジ穴にネジが通されることで、フレーム部材に容易に固定されるようになる。
【００２０】
発明４に係る空気調和装置の室内機によると、コンジット取り付け用部材が被固着部を介してフレーム部材に取り付けられる際、コンジットがコンジット取り付け用部材に取り付けられていると共に、コンジットの端部から露出する複数の電線は、結束バンドによって結束されるので、コンジット取り付け用部材に確実に固定されるようになる。
【００２１】
発明５に係る空気調和装置の室内機によると、コンジット取り付け用部材は、フレーム部材に対しずれて配置されることなく、より確実に固定されるようになる。
【００２２】
発明６に係る空気調和装置の室内機によると、コンジット取り付け用部材は、フレーム部材により確実に固定されるようになる。
【発明を実施するための最良の形態】
【００２３】
以下、本実施形態に係る空気調和装置の室内機について、図面を用いて詳細に説明する。
【００２４】
（１）全体構成
図１及び図２は、本実施形態に係る空気調和装置１の外観図である。図１及び図２に示されるように、空気調和装置１は、室内の壁面等に取り付けられている室内機２と、室外に設置される室外機３とに分かれて構成されるセパレートタイプの空気調和装置である。室内機２と室外機３とは、内部を冷媒が通る冷媒配管Ｒや、電源用配線及び信号用伝送配線である電線Ｌ１，Ｌ２，Ｌ３，Ｌ４で接続される。
【００２５】
特に、この空気調和装置１が北米等の地域で使用される場合、該地域においては電線を絶縁性の高いコンジットで覆わなければならないという制約があるため、図１の電線Ｌ１〜Ｌ４は、図２に示すようにコンジットＣで覆われた状態となる。つまり、上記制約がない場合には、図１に示すように、コンジットに収納されていない状態の電線Ｌ１〜Ｌ４、即ち電線Ｌ１〜Ｌ４そのものが室内機２と室外機３とを接続した状態となっており、上記制約がある場合には、図２に示すように、電線Ｌ１〜Ｌ４が収納されたコンジットＣで室内機２と室外機３とが接続された状態となっている。
【００２６】
尚、室外機３は、図示してはいないが、室外側熱交換器、アキュムレータ、圧縮機、室外ファン、電装品ボックス等を有している。電装品ボックスは、圧縮機の駆動用モータや室外ファンの駆動用モータを駆動制御するための制御回路等が実装された制御基板を収納している。また、この制御基板からは、例えば室内機２へと送られる信号が出力されるが、該信号は、電線Ｌ１〜Ｌ４により室内機２へと伝送される。
【００２７】
（２）室内機の構成
次に、本実施形態に係る室内機２の構成について説明する。室内機２は、図１〜図４、図６に示すように、主として、ケーシング２１、空調部２３、電装品箱２４（フレーム部材に相当）及び被固着部２７を備える。
【００２８】
（２−１）ケーシング
ケーシング２１は、図１及び図２に示すように、正面視において水平方向に長い箱状の形状を有しており、空調部２３、電装品箱２４及び被固着部２７等を収容している。また、ケーシング２１には、吹き出し口２１ａが形成されている。吹き出し口２１ａからは、空調部２３によって温度等が調整された後の空気が室内へと吹き出されるようになる。この吹き出し口２１ａには、吹き出し口２１ａを開閉するための水平フラップ２２が設けられている。また、図示はしていないが、ケーシング２１の上方には空気の吸い込み口が形成されている。
【００２９】
（２−２）空調部
空調部２３は、ケーシング２１の吸い込み口から吸い込まれた空気について、温度や湿度を調整するためのものである。具体的には、空調部２３は、吸い込み口からの空気について暖房、冷房、除湿等を行う。このような空調部２３は、室内側熱交換器、室内ファン、室内ファンの駆動用モータ等で構成されている。
【００３０】
（２−３）電装品箱
電装品箱２４は、図３及び図４に示すように、ケーシング２１の正面視において、空調部２３の右側方に配置されており、複数の電装品を収納している。つまり、電装品箱２４は、収納している電装品から見た場合、近傍に配置されていることになる。
【００３１】
より具体的には、電装品箱２４は、例えば室内ファンの駆動用モータの駆動制御部がＣＰＵやコンデンサ等の各種電装品で構成された制御基板Ｐ等を収納している。そのため、該制御基板と空調部２３（具体的には、空調部２３を構成する室内ファン）とは、図示しない配線で接続されている。
【００３２】
このような電装品箱２４は、図５に示すように、複数の部材２４ａ〜２４ｃによって構成されている。部材２４ａは、電装品箱２４がケーシング２１内に配置された状態において、主に電装品箱２４の左側面となる部材である。従って、部材２４ａは、空調部２３と隣り合うように位置する。部材２４ｂは、制御基板Ｐを支持する部材であって、部材２４ｃは、部材２４ｂが支持する制御基板Ｐを遮蔽する役割を担う。これらの部材２４ａ〜２４ｃは、ネジ止めされ、図６に示すように電装品箱２４、即ち電装品を収納するためのケーシングを構成する。
【００３３】
また、電装品箱２４の部材２４ａのうち、室内機２の正面側となる面には（即ち、電装品箱２４の正面２４ｄ）、端子台２５及びランプカバー２６が並んで取り付けられている。ランプカバー２６には、複数のＬＥＤ等が取り付けられていると共に、これらのＬＥＤは電装品箱２４内の制御基板Ｐと配線によって電気的に接続されている。従って、ＬＥＤは、制御基板Ｐによって出力される各種制御信号に基づいて点灯や点滅を行うことで、空気調和装置１の運転状態等を報知することができる。端子台２５は、同じく制御基板Ｐから延びる配線と、室外機３から延びる電線Ｌ１〜Ｌ４とを接続するためのものであって、制御基板Ｐから延びる配線が接続されていると共に、室外機３から延びる電線Ｌ１〜Ｌ４が接続される。尚、図２に示すように、電線Ｌ１〜Ｌ４がコンジットＣに収納されている場合においても、端子台２５には、コンジットＣの端部から露出された電線Ｌ１〜Ｌ４が接続されるようになる。
【００３４】
更に、この電装品箱２４には、コンジット取り付け用部材５１及び電線固定用部材６１のいずれかが取り付けられる。特に、電装品箱２４の正面２４ｄの下部分には、コンジット取り付け用部材５１の爪部５３ｃ（後述）が係合する係合部２４ｆが形成されている（６）。尚、コンジット取り付け用部材５１及び電線固定用部材６１については、「（３）コンジット取り付け用部材及び電線固定用部材」で説明する。
【００３５】
（２−４）被固着部
被固着部２７は、電装品箱２４にコンジット取り付け用部材５１及び電線固定用部材６１のいずれか一方を固着させるためのものである。被固着部２７は、ケーシング２１内に収容された電装品箱２４の正面２４ｄの下部に設けられている（図６）。より具体的には、被固着部２７は、端子台２５の下部に位置している。特に、本実施形態に係る被固着部２７は、ボスで構成されており、図５のネジ７１が通されるネジ穴２７ａを有している。そのため、コンジット取り付け用部材５１または電線固定用部材６１は、ネジ７１によって被固着部２７に螺子止めされるようになる。これにより、コンジット取り付け用部材５１または電線固定用部材６１は、電装品箱２４に容易に取り付けられるようになる。
【００３６】
（３）コンジット取り付け用部材及び電線固定用部材
次に、電装品箱２４に選択的に取り付けられるコンジット取り付け用部材５１及び電線固定用部材６１について説明する。
【００３７】
（３−１）コンジット取り付け用部材
コンジット取り付け用部材５１は、室外機３から延びる電線Ｌ１〜Ｌ４が収納されたコンジットＣを取り付けるための部材である。コンジット取り付け用部材５１は、１枚の板金が複数箇所で折り曲げられることで、図７及び図８に示すように第１部分５２、第２部分５３、第３部分５４を有する形状となっている。
【００３８】
第１部分５２は、コンジット取り付け用部材５１が電装品箱２４に取り付けられた際に、電装品箱２４の正面２４ｄにおける段差部分２４ｅと接触する（図８）。より具体的には、電装品箱２４の正面２４ｄには、電装品箱２４がケーシング２１内に収容された際に、室内機２の正面側に突出するような段差部分２４ｅがあり、コンジット取り付け用部材５１は、この段差部分２４ｅの上面に第１部分５２が重ね合わせられるようにして配置される。つまり、コンジット取り付け用部材５１は、コンジット取り付け部材５１の第１部分５２が上側となるようにして電装品箱２４の正面２４ｄに取り付けられる。
【００３９】
第２部分５３は、コンジット取り付け用部材５１が電装品箱２４に取り付けられた際、第１部分５２から下方に延びるように配置される（図８）。第２部分５３には、図７に示すように、２つの穴５３ａ，５３ｂが形成されている。穴５３ａは、ネジ７１が通されるネジ穴である。穴５３ａは、コンジット取り付け用部材５１の第１部分５２が電装品箱２４の正面２４ｄにおける段差部分２４ｅに重ね合わせられるようにして配置された際に、電装品箱２４側の被固着部２７におけるネジ穴２７ａと対応するようにして、第２部分５３上に設けられている。従って、コンジット取り付け用部材５１は、この穴５３ａと電装品箱２４側の被固着部２７（つまりボス）に設けられたネジ穴２７ａとにネジ７１が螺合されることで、電装品箱２４に取り付けられる。また、穴５３ｂは、コンジットＣの端部から露出する電線Ｌ１〜Ｌ４を固定する結束バンド５６を取り付けるための穴である。ここで、結束バンド５６は、穴５３ｂと係合される突起５６ａを有している（図５）。従って、この突起５６ａがコンジット取り付け用部材５１の第２部分５３における穴５３ｂに係合されることで、結束バンド５６は、第２部分５３に固定されるようになる。
【００４０】
更に、第２部分５３には、コンジット取り付け用部材５１が電装品箱２４に取り付けられる際に、被固着部２７側（つまり、電装品箱２４側）に突出する爪部５３ｃを有している。従って、コンジット取り付け用部材５１は、電装品箱２４に取り付けられる際、ネジ７１によってネジ止めされる前に、第２部分５３の爪部５３ｃが電装品箱２４の正面２４ｄにおける係合部２４ｆに係合されることによって電装品箱２４に固定して配置される。これにより、コンジットＣがコンジット取り付け用部材５１に図９の矢印Ｘの方向から取り付けられた際、コンジット取り付け用部材５１はコンジットＣからの反力を受けるが、爪部５３ｃによって電装品箱２４にリブ当てされた構造となっているため、荷重を分散させることができる。この爪部５３ｃが電装品箱２４の係合部２４ｆに係合された後、コンジット取り付け用部材５１は、ネジ止めされて電装品箱２４に完全に固定されるようになる。
【００４１】
また、第３部分５４は、第１部分５２とほぼ同じ方向に延びており、コンジットＣが挿入される穴５４ａを有している（図７，図８）。よって、穴５４ａは、コンジットＣの直径よりも若干大きい程度の大きさを有している。
【００４２】
更に、第３部分５４は、コンジット取り付け用部材５１が被固着部２７に固着される際に電装品箱２４に接触する接触部分５５を有している。接触部分５５は、コンジット取り付け用部材５１が被固着部２７に固着された状態で、穴５４ａが形成されている第３部分５４の面の左端部が下方に突出した部分である。この接触部分５５は、第３部分５４の面の左端部が下方に折り曲げられることで構成されている。このような接触部分５５は、電装品箱２４に取り付けられた状態のコンジット取り付け用部材５１にコンジットＣが挿入される際、コンジットＣの挿入方向（即ち、矢印Ｘの方向）の力を受ける第３部分５４の部分に形成されている。この接触部分５５は、コンジット取り付け用部材５１が電装品箱２４に取り付けられた際、図６における電装品箱２４の部分２４ｇに当接する。
【００４３】
上述した構成を有するコンジット取り付け用部材５１は、電装品箱２４に取り付けられた際、図８に示すように、第１部分５２と第２部分５３の少なくとも一部とが電装品箱２４の正面２４ｄに接触する他、第２部分５３の爪部５３ｃが電装品箱２４の係合部２４ｆに係合され、第３部分５４の接触部分５５が電装品箱２４の部分２４ｇに当接するようになる。一方で、第３部分５４のうち接触部分５５を除く部分は、電装品箱２４とは接触しない状態となる。
【００４４】
〔コンジットの取り付け手順〕
ここで、上述した構成を有するコンジット取り付け用部材５１にコンジットＣを取り付ける手順について、主に図８〜図１０を用いて説明する。
【００４５】
先ず、図２に示すように、電線Ｌ１〜Ｌ４を収納しているコンジットＣを使用しなければならないという制約のある地域において、空気調和装置１が設置されるとする。この場合、図８に示すように、室内機２の電装品箱２４に選択される部材としては、コンジット取り付け用部材５１が選択される。コンジット取り付け用部材５１が電装品箱２４に取り付けられる際には、先ず、コンジット取り付け用部材５１の第２部分５３に結束バンド５６が取り付けられる。具体的には、第２部分５３における穴５３ｂに、結束バンド５６の突起５６ａが係合される。結束バンド５６が取り付けられたコンジット取り付け用部材５１は、第１部分５２が電装品箱２４の正面２４ｄにおける段差部分２４ｅに重ね合わせられるようにして配置され、第２部分５３の爪部５３ｃが電装品箱２４の正面２４ｄにおける係合部２４ｆに係合されることで、電装品箱２４に固定される。この時、第３部分５４の接触部分５５は、電装品箱２４の部分２４ｇに当接している。この状態で、コンジット取り付け用部材５１は、第２部分５３の穴５３ａ及び被固着部２７側のネジ穴２７ａを介してネジ７１によってネジ止めされ、電装品箱２４に完全に固定される。
【００４６】
次に、図９に示すように、コンジット取り付け用部材５１の第３部分５４における穴５４ａに、室内機２の外側から（即ち、図９の矢印Ｘの方向に）コンジットＣが差し込まれる。ここで、コンジットＣをコンジット取り付け用部材５１に確実に固定するために、コンジットＣの端部における雄螺子部分Ｓが第３部材５４に対し上側となるまで、コンジットＣは第３部材５４の穴５４ａに差し込まれる。その後、雄螺子部分Ｓの根元部分から周方向に張り出したフランジ（図示せず）とナットＮによってコンジット取り付け用部材５１を挟み込むように、ナットＮが雄螺子部分Ｓに締め付けられる。
【００４７】
次に、図１０に示すように、コンジットＣをコンジット取り付け用部材５１に固定した状態で、コンジットＣ内の電線Ｌ１〜Ｌ４が延ばされ、結束バンド５６を介して電装品箱２４の正面２４ｄ上かつコンジット取り付け用部材５１の上方に位置する端子台２５に接続される。尚、結束バンド５６は、コンジットＣの端部付近において、電線Ｌ１〜Ｌ４を結束する。これにより、電線Ｌ１〜Ｌ４は、散けることなく、コンジット取り付け用部材５１に固定された状態となる。
【００４８】
（３−２）電線固定用部材
電線固定用部材６１は、コンジットＣに収納されていない電線Ｌ１〜Ｌ４そのものを固定するための部材であって、電装品箱２４におけるコンジット取り付け用部材５１の取り付け位置と同じ位置に取り付けられる（図１２）。従って、本実施形態に係る電線固定用部材６１は、コンジット取り付け用部材５１が電装品箱２４に取り付けられている状態時には、電装品箱２４に取り付けられることはない。即ち、電線固定用部材６１は、コンジット取り付け用部材５１と共に電装品箱２４に取り付けられることはなく、コンジット取り付け用部材５１が電装品箱２４に取り付けられていない場合に、電装品箱２４に取り付けられる。このような電線固定用部材６１は、図１に示すように、コンジットＣを使用しなければならないという制約がなく、電線Ｌ１〜Ｌ４単体で室内機２と室外機３とを接続可能な地域において空気調和装置１が設置される場合に、コンジット取り付け用部材５１に代えて電装品箱２４に取り付けられる。
【００４９】
電線固定用部材６１は、図１１（ａ）（ｂ）に示すように、主として、第４部分６２と、第４部分６２に対し略垂直に延びる第５部分６３と、第５部分６３を隔てて第４部分６２と略平行に延びる第６部分６４とを有する形状となっている。図１２に示すように、電線固定用部材６１が電装品箱２４の正面２４ｄに取り付けられた際、第４部分６２及び第６６４は、電装品箱２４の正面２４ｄに対し略垂直となる方向に延びるように位置する。より具体的には、電線固定用部材６１は、第４部分６２が、電装品箱２４の正面２４ｄにおける段差部分２４ｅの位置に対応するように配置される。一方、第５部分６３は、電装品箱２４の正面２４ｄにおける凹部分２４ｈ（図６）に挿入される（図１２）。つまり、第５部分６３は、電装品箱２４に接触する接触部分となる。
【００５０】
また、図１１（ａ）（ｂ）及び図１２に示すように、第４部分６２及び第６部分６４には、電線Ｌ１〜Ｌ４そのものが通るための開口６２ａ，６４ａがそれぞれ設けられている。各開口６２ａ，６４ａを電線Ｌ１〜Ｌ４が通る際には、電線Ｌ１〜Ｌ４は、電線固定用部材６１の下方から第６部分６４における開口６４ａ，第４部分６２における開口６２ａの順に開口を通り、電線固定用部材６１の上方に位置する端子台２５に接続される。つまり、図１２において、電線Ｌ１〜Ｌ４は、開口６２ａ，６４ａをくぐりながら矢印Ｚの方向に延び、端子台２５に接続される。また、第５部分６３には、図１１（ｂ）に示すように、ネジ７１用の穴６３ａが形成されている。この穴６３ａは、電線固定用部材６１の第４部分６２が室内機２の正面２４ｄにおける段差部分２４ｅに対応するようにして配置された際に（図１２）、電装品箱２４側の被固着部２７におけるネジ穴２７ａと対応するようにして、第５部分６３上に設けられている。つまり、電線固定用部材６１は、第５部分６３が電装品箱２４の凹部分２４ｈに挿入された後、コンジット取り付け用部材５１と同様、第５部分６３における穴６３ａと電装品箱２４側の被固着部２７（つまりボス）に設けられたネジ穴２７ａとにネジ７１が螺合されることで、電装品箱２４に取り付けられる。
【００５１】
（４）効果
（Ａ）
本実施形態に係る空気調和装置１の室内機２によると、室外機３からの電線Ｌ１〜Ｌ４が収納されたコンジットＣの取り付け用部材５１、及びコンジットＣに収納されていない室外機３からの電線Ｌ１〜Ｌ４そのものの固定用部材６１のいずれか一方が、被固着部２７を介して選択的に電装品箱２４に取り付けられる。これにより、この室内機２は、コンジットＣの使用を使用しなければならないという制約のある地域、及びこのような制約のない地域のどちらにおいても使用することが可能となる。従って、コンジットＣを使用する地域用の室内機２をあえて設計せずに済む。
【００５２】
（Ｂ）
特に、本実施形態では、被固着部２７が、電装品箱２４に設けられている。従って、コンジット取り付け用部材５１または電線固定用部材６１は、被固着部２７を介して電装品箱２４に選択的に取り付けられるようになる。
【００５３】
（Ｃ）
また、本実施形態では、被固着部２７が、ネジ穴２７ａを有するボスで構成されている。従って、コンジット取り付け用部材５１または電線固定用部材６１は、被固着部２７であるボスのネジ穴２７ａにネジ７１が通され、螺子止めされることで、電装品箱２４に容易に固定されるようになる。
【００５４】
（Ｄ）
また、本実施形態に係るコンジット取り付け用部材５１には、結束バンド５６が取り付けられている。そのため、コンジット取り付け用部材５１が被固着部２７を介して電装品箱２４に取り付けられている際、コンジットＣがコンジット取り付け用部材５１に取り付けられていると共に、コンジットＣの端部から露出する複数の電線Ｌ１〜Ｌ４は、結束バンド５６によって結束されるので、コンジット取り付け用部材５１に確実に固定されるようになる。
【００５５】
（Ｅ）
また、本実施形態では、コンジット取り付け用部材５１が被固着部２７を介して電装品箱２４に取り付けられる際、コンジット取り付け用部材５１は、被固着部２７を介してだけではなく、接触部分５５によって電装品箱２４の当接部分２４ｇに直接接触した状態となっている。従って、コンジット取り付け用部材５１は、電装品箱２４に対しずれて配置されることなく、より確実に固定されるようになる。
【００５６】
（Ｆ）
また、本実施形態では、コンジット取り付け用部材５１が被固着部２７を介して電装品箱２４に取り付けられる際、コンジット取り付け用部材５１の爪部５３ｃが電装品箱２４の係合部２４ｆに係合される。これにより、コンジット取り付け用部材５１は、電装品箱２４により確実に固定されるようになる。
【００５７】
＜その他の実施形態＞
（ａ）
上記実施形態では、コンジット取り付け用部材５１及び電線固定用部材６１が、電装品箱２４に選択的に取り付けられると説明した。しかし、コンジット取り付け用部材５１及び電線固定用部材６１が選択的に取り付けられる部材は、電装品箱２４以外であってもよい。コンジット取り付け用部材５１及び電線固定用部材６１が取り付けられる部材のその他の例としては、電装品箱２４とは別途設けられ、電装品箱２４近傍に配置されるフレーム部材や、電装品箱２４近傍のケーシング２１の一部分が挙げられる。
【００５８】
（ｂ）
上記実施形態では、被固着部２７がボスで構成される場合について説明した。しかし、被固着部２７の構成は、これに限定されず、コンジット取り付け用部材５１及び電線固定用部材６１を電装品箱２４に固着させることができるのであれば、どのような構成であってもよい。
【００５９】
（ｃ）
上記実施形態では、コンジット取り付け用部材５１及び電線固定用部材６１それぞれには、ネジ７１用の穴が１つずつ形成されていると説明した（５３ａ，６３ａ）。しかし、ネジ７１用の穴は、１つ以上であってもよい。つまり、コンジット取り付け用部材５１及び電線固定用部材６１は、２本以上のネジを用いて電装品箱２４に固定されてもよい。
【００６０】
（ｄ）
上記実施形態では、先ずはコンジット取り付け用部材５１に結束バンド５６が取り付けられ、その後コンジット取り付け用部材５１が被固着部２７を介して電装品箱２４に取り付けられると説明した。しかし、結束バンド５６がコンジット取り付け用部材５１に取り付けられるタイミングは、これに限定されない。結束バンド５６をコンジット取り付け用部材５１に取り付ける機構が、電装品箱２４にコンジット取り付け用部材５１を取り付けた後でも可能なものであれば、電装品箱２４にコンジット取り付け用部材５１が取り付けられた後に結束バンド５６が取り付けられても良い。
【００６１】
（ｅ）
上記実施形態では、コンジット取り付け用部材５１に結束バンド５６が取り付けられる場合について説明した。しかし、結束バンド５６は、コンジット取り付け用部材５１に必ずしも取り付けられていなくとも良い。例えば、電線の本数が少ないため、電線が散けるおそれがない場合には、結束バンド５６をコンジット取り付け用部材５１に取り付けずともよい。
【産業上の利用可能性】
【００６２】
本発明に係る空気調和装置の室内機は、コンジットを使用しなければならないという制約のある地域、及びこのような制約のない地域のどちらにおいても使用することができるという効果を有している。従って、本発明に係る室内機は、上記制約に関係なくどのような地域においても利用することができる。
【図面の簡単な説明】
【００６３】
【図１】電線をコンジットで覆わなければならないという制約のない地域に設置された、本実施形態に係る空気調和装置の外観図。
【図２】電線をコンジットで覆わなければならないという制約のある地域に設置された、本実施形態に係る空気調和装置の外観図。
【図３】室内機内部の構造を示すための室内機の正面図であって、コンジットＣが取り付けられている状態を示す図。
【図４】図１の室内機内部の右側部分の拡大図。
【図５】室内機における電装品箱の分解図及び電装品箱に選択的に取り付けられるコンジット取り付け部材及び電線固定部材を示す図。
【図６】組み立てられた状態の電装品箱の外観図。
【図７】コンジット取り付け用部材の外観図。
【図８】コンジット取り付け用部材が取り付けられている電装品箱の一部分を示す図。
【図９】図８のコンジット取り付け用部材にコンジットが取り付けられた電装品箱の一部分を示す図。
【図１０】図９のコンジット内の電線が結束バンドで結束され、かつ該電線が端子台に接続されている電装品箱の一部分を示す図。
【図１１】（ａ）電線固定用部材の外観図。  （ｂ）図１１（ａ）における電線固定用部材を、矢印Ｙ方向から見た場合の図。
【図１２】電線固定用部材が取り付けられている電装品箱の一部分を示す図。
【符号の説明】
【００６４】
１  空気調和装置
２  室内機
３  室外機
２１  ケーシング
２３  空調部
２４  電装品箱
２４ｆ  係合部
２５  端子台
２６  ランプカバー
２７  被固着部
２７ａ  ネジ穴
５１  コンジット取り付け用部材
５２  第１部材
５３  第２部材
５３ｃ  爪部
５４  第３部材
５５  接触部分
５６  結束バンド
６１  電線固定用部材
Ｌ１〜Ｌ４  電線
Ｃ  コンジット
Ｒ  冷媒配管
【図１】
2010107140.tif 000003
【図２】
2010107140.tif 000004
【図３】
2010107140.tif 000005
【図４】
2010107140.tif 000006
【図５】
2010107140.tif 000007
【図６】
2010107140.tif 000008
【図７】
2010107140.tif 000009
【図８】
2010107140.tif 000010
【図９】
2010107140.tif 000011
【図１０】
2010107140.tif 000012
【図１１】
2010107140.tif 000013
【図１２】
2010107140.tif 000014